(57)【要約】【課題】身体への悪影響を抑制しつつオゾンによる浄化能力を好適に発揮させることができるオゾン供給システムを提供する。【解決手段】建物１０には、浴室１１、キッチン１２、トイレ１３及び洗面室１４がサニタリとして設けられている。また、建物１０は、サニタリ１１〜１４にオゾンを供給するオゾン供給システムを有しており、オゾン供給システムはオゾン生成装置５１を含んで構成されている。例えば、オゾン生成装置５１によりトイレ１３へ高濃度オゾンガスや高濃度オゾン水が供給される場合、トイレ１３においてトイレドア８２がトイレ施錠装置８３により施錠されるとともに、トイレドア８２のアンダーカット８４がアンダーカット閉鎖部８５により閉鎖される。オゾン供給中に人がトイレ１３に入ろうとしている場合、オゾン供給が停止されるとともに、トイレ換気扇９１によりトイレ空間２３の強制換気が行われる。【選択図】図１
2009261503.tif 000002
【特許請求の範囲】
【請求項１】
オゾンガス又はオゾン水を生成するオゾン生成装置と、
前記オゾン生成装置により生成される生成オゾンを建物内の所定場所に供給するオゾン供給装置と
を備えるオゾン供給システムであって、
前記生成オゾンが前記所定場所へ供給される場合に該生成オゾンによる身体への影響の有無を判定する影響判定手段と、
前記影響判定手段により前記生成オゾンが身体に影響有りと判定された場合に、該生成オゾンの身体への接触又は体内への取り込みを規制する規制手段と
を備えることを特徴とするオゾン供給システム。
【請求項２】
仕切体によって仕切られた所定の屋内空間を前記所定場所として前記生成オゾンを供給するオゾン供給システムであり、
前記規制手段は、前記影響判定手段により前記生成オゾンが身体に影響有りと判定された場合に、前記屋内空間に人が立ち入ることを規制する請求項１に記載のオゾン供給システム。
【請求項３】
前記屋内空間の出入口に設けられた開閉体を施錠する施錠装置を備える建物に適用され、
前記規制手段は、前記影響判定手段により前記生成オゾンが身体に影響有りと判定された場合に、前記開閉体の開放を規制するべく前記施錠装置の施錠制御を行う請求項２に記載のオゾン供給システム。
【請求項４】
前記屋内空間及び該屋内空間に隣接する建物内空間に通じるように前記仕切体に形成された通気部と、前記通気部を閉鎖する閉鎖装置とを備える建物に適用され、
前記規制手段は、前記影響判定手段により前記生成オゾンが身体に影響有りと判定された場合に、前記通気部を閉鎖させるべく前記閉鎖装置の動作制御を行う請求項２又は３に記載のオゾン供給システム。
【請求項５】
前記影響判定手段は、オゾン供給装置により前記生成オゾンが前記所定場所へ供給された場合に、該生成オゾンによる身体への影響の有無を判定し、
前記規制手段は、前記影響判定手段により前記生成オゾンが身体に影響無しと判定された場合に、前記屋内空間への人の立ち入り規制を解除する請求項２乃至４のいずれか１項に記載のオゾン供給システム。
【請求項６】
前記屋内空間に人が立ち入ろうとしていることを検出する立入検出手段と、
前記立入検出手段により人が立ち入ろうとしていることが検出された場合に前記屋内空間の換気を行う換気装置と
を備える請求項５に記載のオゾン供給システム。
【請求項７】
前記規制手段は、前記影響判定手段により前記生成オゾンが身体に影響有りと判定された場合に、前記所定場所に供給する前記生成オゾンの濃度を低くする濃度調整手段である請求項１乃至６のいずれか１項に記載のオゾン供給システム。
【請求項８】
前記オゾン供給装置は、前記オゾン生成装置により生成されるオゾンガスを前記所定場所としてのトイレ又は浴室の少なくとも一方に供給する請求項１乃至７のいずれか１項に記載のオゾン供給システム。
【請求項９】
請求項１乃至８のいずれか１項に記載のオゾン供給システムと、前記生成オゾンが供給される前記所定場所としての複数の屋内空間とを備える建物であって、
前記オゾン供給装置は、屋内空間ごとにそれぞれ設けられ、前記オゾン生成装置により生成されるオゾンガスを各屋内空間に供給することを特徴とする建物。
【発明の詳細な説明】
【技術分野】
【０００１】
本発明は、オゾン供給システム及びそのオゾン供給システムを備える建物に関するものである。
【背景技術】
【０００２】
オゾンを利用して空気の浄化や消臭等を行う技術が提案されている。例えば、特許文献１には、オゾン発生装置が空気清浄器に内蔵された構成が記載されている。この構成では、オゾン発生装置からオゾンを発生させることで、空気清浄器の内部に取り込まれた空気がそのオゾンにより浄化される。そして、空気清浄器はその浄化された空気を放出する。また、空気清浄器から放出される空気はオゾンを含むオゾンガスであるため、空気清浄器が設置された空間の広範囲を対象として、空気清浄効果を発揮することができる。
【特許文献１】特開２００３−４２４９０号公報
【発明の開示】
【発明が解決しようとする課題】
【０００３】
ここで、オゾンガスにより空気の浄化を行う場合、その空気中のオゾン濃度が高いほど大きな空気清浄効果が得られる。しかしながら、オゾン濃度の高い空気は人体にとって有害であるため、人が居る空間を対象として空気清浄を行う場合、オゾンガスのオゾン濃度高さが制限される。この場合、オゾンガスの空気清浄能力を効果的に発揮させることができないといった問題が発生する。なお、このような問題は、オゾン水により殺菌や洗浄等を行う場合にも発生する。
【０００４】
そこで、本発明は、身体への悪影響を抑制しつつオゾンによる浄化能力を好適に発揮させることができるオゾン供給システムを提供することを目的とするものである。
【課題を解決するための手段】
【０００５】
本発明は、上記課題を解決するために、以下の手段を採用した。
【０００６】
第１の発明は、オゾンガス又はオゾン水を生成するオゾン生成装置と、前記オゾン生成装置により生成される生成オゾンを建物内の所定場所に供給するオゾン供給装置とを備えるオゾン供給システムであって、前記生成オゾンが前記所定場所へ供給される場合に該生成オゾンによる身体への影響の有無を判定する影響判定手段と、前記影響判定手段により前記生成オゾンが身体に影響有りと判定された場合に、該生成オゾンの身体への接触又は体内への取り込みを規制する規制手段とを備えることを特徴とする。
【０００７】
第１の発明によれば、オゾンガスやオゾン水が生成オゾンとして建物内の所定場所に供給されるため、その所定場所や周辺空気を対象として生成オゾンによるオゾン洗浄が行われる。オゾン洗浄は殺菌消臭効果を有している。ここで、オゾンは濃度が高いと高い浄化能力を有する一方で人や動物の身体にとって有害であるが、生成オゾンが身体にとって有害である場合には、身体に影響を及ぼさないように生成オゾンの身体への接触や体内への取り込みが規制される。したがって、身体が生成オゾンから害を受けることが抑制される。以上の結果、身体への悪影響を抑制しつつ、オゾンによる浄化能力を好適に発揮させることができる。
【０００８】
第２の発明では、仕切体によって仕切られた所定の屋内空間を前記所定場所として前記生成オゾンを供給するオゾン供給システムであり、前記規制手段は、前記影響判定手段により前記生成オゾンが身体に影響有りと判定された場合に、前記屋内空間に人が立ち入ることを規制する。
【０００９】
第２の発明によれば、屋内空間に供給される生成オゾンが身体に影響を及ぼす場合には、屋内空間への人の立ち入りが規制される。ここで、屋内空間は仕切体によって仕切られているため、オゾンが屋内空間から他の空間へ拡散することが抑制される。つまり、人が屋内空間に立ち入らなければ、オゾンが身体に接触したり体内に取り込まれたりすることが抑制される。以上の結果、人が生成オゾンにより害を被ることを抑制できる。
【００１０】
第３の発明では、前記屋内空間の出入口に設けられた開閉体を施錠する施錠装置を備える建物に適用され、前記規制手段は、前記影響判定手段により前記生成オゾンが身体に影響有りと判定された場合に、前記開閉体の開放を規制するべく前記施錠装置の施錠制御を行う。
【００１１】
第３の発明によれば、屋内空間に供給される生成オゾンが身体に影響を及ぼす場合には、屋内空間の出入口に設けられた開閉体が施錠装置により施錠される。この場合、人は施錠装置を解錠して開閉体を開放しない限り屋内空間に立ち入ることができない。したがって、所定場所に生成オゾンが供給されていることを知らない人についても、不意にオゾンが身体に接触したり体内に取り込まれたりすることを抑制できる。
【００１２】
第４の発明では、前記屋内空間及び該屋内空間に隣接する建物内空間に通じるように前記仕切体に形成された通気部と、前記通気部を閉鎖する閉鎖装置とを備える建物に適用され、前記規制手段は、前記影響判定手段により前記生成オゾンが身体に影響有りと判定された場合に、前記通気部を閉鎖させるべく前記閉鎖装置の動作制御を行う。
【００１３】
第４の発明によれば、屋内空間に供給される生成オゾンが身体に影響を及ぼす場合には、通気部が閉鎖される。この場合、仮に生成オゾンがオゾンガスとして屋内空間に充満していても、そのオゾンガスが屋内空間から建物内空間に通気部を通じて漏れ出すことが抑制される。したがって、人は屋内空間に立ち入らなければ、たとえ通気部に近づいたとしてもオゾンが身体に接触したり体内に取り込まれたりすることを回避できる。なお、通気部としては、開閉体に設けられるアンダーカットやガラリ等が挙げられる。
【００１４】
第５の発明では、前記影響判定手段は、オゾン供給装置により前記生成オゾンが前記所定場所へ供給された場合に、該生成オゾンによる身体への影響の有無を判定し、前記規制手段は、前記影響判定手段により前記生成オゾンが身体に影響無しと判定された場合に、前記屋内空間への人の立ち入り規制を解除する。
【００１５】
第５の発明によれば、所定場所に生成オゾンが供給されても、生成オゾンが身体に影響を及ぼさない場合には、屋内空間への人の立ち入りが許可される。したがって、屋内空間においてオゾン洗浄が行われた後であっても、屋内空間での安全性が確保されれば、人が屋内空間へ自由に出入りすることができる。
【００１６】
第６の発明では、前記屋内空間に人が立ち入ろうとしていることを検出する立入検出手段と、前記立入検出手段により人が立ち入ろうとしていることが検出された場合に前記屋内空間の換気を行う換気装置とを備える。
【００１７】
第６の発明によれば、屋内空間を対象として換気装置により換気が行われるため、屋内空間からオゾンが積極的に排出される。このため、屋内空間において、オゾンの減少をただ待つ場合に比べて、安全性を確保するまでに要する期間を短縮することができる。特に、人が屋内空間に立ち入ろうとしている場合に屋内空間の換気が行われるため、仮にオゾン洗浄が行われている最中であっても、屋内空間に入りたいという人の要望に合わせていち早く屋内空間を立ち入り可能な状態にすることができる。つまり、屋内空間の使い勝手が悪化することを抑制しつつ、オゾン洗浄を行うことができる。
【００１８】
なお、屋内空間の換気が行われる場合、所定場所へのオゾン供給が停止されることが好ましい。この場合、屋内空間において、安全性を確保するまでに要する期間をより一層短縮することができる。
【００１９】
第７の発明では、前記規制手段は、前記影響判定手段により前記生成オゾンが身体に影響有りと判定された場合に、前記所定場所に供給する前記生成オゾンの濃度を低くする濃度調整手段である。
【００２０】
第７の発明によれば、生成オゾンが身体に影響を及ぼす場合には、その生成オゾンの濃度が低くされる。したがって、身体に影響が無い濃度のオゾンにより手などを洗うことが可能となり、オゾンによる殺菌効果を好適に得ることができる。
【００２１】
第８の発明では、前記オゾン供給装置は、前記オゾン生成装置により生成されるオゾンガスを前記所定場所としてのトイレ又は浴室の少なくとも一方に供給する。
【００２２】
第８の発明によれば、生成オゾンがトイレや浴室に供給されるため、トイレや浴室においてオゾンの浄化能力を容易に得ることができる。この場合、トイレでは、トイレ使用後に臭気が発生しやすいため、生成オゾンの消臭効果を好適に発揮させることができ、浴室では、高い湿気により細菌が発生しやすいため、生成オゾンの殺菌効果を好適に発揮させることができる。
【００２３】
第９の発明では、請求項１乃至８のいずれか１項に記載のオゾン供給システムと、前記生成オゾンが供給される前記所定場所としての複数の屋内空間とを備える建物であって、前記オゾン供給装置は、屋内空間ごとにそれぞれ設けられ、前記オゾン生成装置により生成されるオゾンガスを各屋内空間に供給することを特徴とする。
【００２４】
第９の発明によれば、生成オゾンが複数の屋内空間に供給されるため、建物全体でオゾンの浄化能力を容易に得ることが可能となる。建物においては、一部の建物内空間を殺菌消臭してもその他の空間から細菌や臭気が広がるおそれがあるため、建物内空間全体を対象として殺菌消臭等を行うことが効果的である。
【発明を実施するための最良の形態】
【００２５】
以下、本発明を具体化した一実施形態を図面に基づいて説明する。図１は、建物１０の概略断面を示す図である。
【００２６】
図１に示すように、住宅等の建物１０には、浴室１１、キッチン１２、トイレ１３及び洗面室１４が設けられている。浴室１１、キッチン１２、トイレ１３及び洗面室１４は、浴槽や流し台等といった水まわりの設備を備えるサニタリとなっており、以下、これらをサニタリ１１〜１４ともいう。サニタリ１１〜１４において、浴室１１は浴室空間２１、キッチン１２はキッチン空間２２、トイレ１３はトイレ空間２３、洗面室１４は洗面室空間２４をそれぞれ有しており、それら浴室空間２１、キッチン空間２２、トイレ空間２３及び洗面室空間２４（以下、サニタリ空間２１〜２４ともいう）は、建物１０の屋内空間として他の空間と仕切られている。サニタリ空間２１〜２４は、例えば仕切壁やドア等といった仕切体により仕切られており、それら仕切体により囲まれている。なお、建物１０には、その他にもリビングやダイニング等の居室が設けられている。
【００２７】
建物１０には、水まわり設備として、蛇口や水栓等を有する給水装置が複数設けられている。給水装置には、例えば、浴室１１において浴槽３１に湯を張るための湯張り装置３２、同じく浴室１１においてシャワー水を放出するシャワー装置３３、キッチン１２において流し台３５に湯水を放出するキッチン用給水装置３６、トイレ１３において便器３８の水を流すトイレ用給水装置３９、洗面室１４において洗面台４１の水を流す洗面室用給水装置４２等が含まれている。これら給水装置３２，３３，３６，３９，４２には水道管４５がそれぞれ接続されており、水道管４５を介して水道水が供給される。なお、各給水装置３２，３３，３６，３９，４２には水道水が上水として供給される他に、使用済みの再利用水が中水として供給されてもよい。
【００２８】
本実施形態では、建物１０において、建物設備や屋内空間等にオゾンを供給するオゾン供給システムが構築されている。オゾン供給システムは、オゾンを含む気体又は液体を生成するオゾン生成装置５１を含んで構築されている。オゾン生成装置５１は、オゾンを含む気体としてオゾンガスを生成するオゾンガス生成部５２と、オゾンを含む液体としてオゾン水を生成するオゾン水生成部５３とを有しており、生成されたオゾンガスやオゾン水はサニタリ１１〜１４に供給される。
【００２９】
オゾンガス生成部５２は、例えば空気に高電圧を印加することでオゾンガスを発生させる。オゾンガス生成部５２は、発生させるオゾンガスの濃度を調整するオゾンガス濃度調整機能を有しており、低濃度オゾンガス又は高濃度オゾンガスを生成する。オゾンは、酸化作用が強く且つ不安定な物質であり、オゾン濃度が高いほど細菌や臭気、カビ等に対する浄化能力が向上するとともに、人や動物の身体に接触したり体内に取り込まれたりした際の身体にとっての有害度も大きくなる。ここでは、オゾンガス中のオゾン濃度を、例えば低濃度オゾンガスでは０．０１ｐｐｍより小さくし、高濃度オゾンガスでは０．１ｐｐｍより小さくしている。この場合、低濃度オゾンガスは浄化能力が低いが、人体にとっては害が無いとされ、高濃度オゾンガスは浄化能力が高いが、人体にとっては害の有る可能性が高いとされる。
【００３０】
オゾン水生成部５３は、オゾンガス生成部５２により生成されたオゾンガスを水に溶け込ませたり水に高電圧を印加したりすることでオゾン水を生成する。オゾン水生成部５３は、生成するオゾン水の濃度を調整するオゾン水濃度調整機能を有しており、低濃度オゾン水又は高濃度オゾン水を生成する。オゾン水は、オゾンガスと同様に、オゾン濃度が高いほど浄化能力が向上する。一方で、オゾン濃度が高いほど揮発するオゾンの量が増加し、人体にとっての有害度も大きくなる。ここでは、低濃度オゾン水は、オゾンの揮発に伴って発生するオゾンガスが低濃度オゾンガスより小さく、高濃度オゾン水は、オゾンの揮発に伴って発生するオゾンガスが高濃度オゾンガスより小さくなっている。この場合、低濃度オゾン水は浄化能力が低いが、体を洗うには害が無いとされ、高濃度オゾン水は浄化能力が高いが、使用するだけで人体にとっては害のある可能性が高いとされる。但し、低濃度オゾン水であっても飲むと人体に害のある可能性が高いとされる。
【００３１】
オゾン生成装置５１には、外気を取り込むための取込用ダクト５５が接続されており、取込用ダクト５５は屋外に通じている。なお、取込用ダクト５５は屋内空間に通じていてもよく、この場合、オゾン生成装置５１は内気を取り込むことが可能となる。また、オゾン生成装置５１には、オゾンガスをサニタリ１１〜１４に供給するための供給用ダクト５６が接続されており、供給用ダクト５６は、サニタリ空間２１〜２４に通じている。オゾン生成装置５１は、供給用ダクト５６を介してサニタリ１１〜１４に低濃度オゾンガス又は高濃度オゾンガスを供給する。この場合、オゾンガスはサニタリ空間２１〜２４を所定場所として空気の浄化に使用される。
【００３２】
サニタリ１１〜１４の天井には吹出グリル５８がそれぞれ取り付けられており、供給用ダクト５６は、各吹出グリル５８に接続されることでサニタリ１１〜１４側においてそれぞれ固定されている。吹出グリル５８は、開閉式のグリルとなっており、駆動することで吹出グリル５８を開状態又は閉状態に切り替えるグリル用駆動部５９を有している。より詳しくは、吹出グリル５８は、その吹出口を開閉する開閉部（図示略）を有しており、開閉部が開放されることで開状態となり開閉部が閉鎖されることで閉状態となる。開閉部は、グリル用駆動部５９の駆動に伴って開閉動作する構成となっている。
【００３３】
オゾン生成装置５１には、水道管４５が接続されており、水道管４５から水道水が供給される。また、オゾン生成装置５１には、オゾン水をサニタリ１１〜１４に供給するためのオゾン水給水管６１が接続されている。キッチン１２、トイレ１３及び浴室１１においては、オゾン水給水管６１は、キッチン用給水装置３６、トイレ用給水装置３９及び洗面室用給水装置４２といった給水装置に接続されており、それら給水装置３６，３９，４２には、水道水に加えてオゾン水が供給される。これに対して、浴室１１においては、オゾン水給水管６１は、湯張り装置３２やシャワー装置３３ではなく、浴室１１内でオゾン水を放出する浴室オゾン水放出装置６３に接続されており、浴室オゾン水放出装置６３にはオゾン水だけが供給される。
【００３４】
オゾン生成装置５１は、生成したオゾン水のうち高濃度オゾン水をサニタリ１１〜１４のうち浴室１１、キッチン１２及びトイレ１３に対して供給し、低濃度オゾン水を洗面室１４に対して供給する構成となっている。具体的には、オゾン水給水管６１のうち高濃度オゾン水用の高濃度用給水管６１ａは、浴室オゾン水放出装置６３、キッチン用給水装置３６及びトイレ用給水装置３９に接続されており、低濃度オゾン水用の低濃度用給水管６１ｂは、洗面室用給水装置４２に接続されている。この場合、低濃度オゾン水は人の手足等の洗浄に使用され、高濃度オゾン水は浴室１１の壁や床、浴槽３１、キッチン１２の流し台３５、トイレ１３の便器３８といった建物１０や建物設備の洗浄に使用される。
【００３５】
なお、キッチン用給水装置３６、トイレ用給水装置３９及び洗面室用給水装置４２は、下流側に供給する水を水道水及びオゾン水の一方に切り替える給水切替機能をそれぞれ有している。また、湯張り装置３２やシャワー装置３３は、キッチン用給水装置３６、トイレ用給水装置３９及び洗面室用給水装置と同様に水道管４５に加えてオゾン水給水管６１と接続されていてもよく、この場合は給水切替機能を有していることが好ましい。
【００３６】
ここで、浴室１１及びトイレ１３の構成について、図２，図３を参照しつつ説明する。図２は浴室１１の概略断面を示す図、図３はトイレ１３の概略断面を示す図である。なお、説明の便宜上、図２では、湯張り装置３２及びシャワー装置３３の図示を省略し、図３では、トイレ用給水装置３９の図示を省略している。
【００３７】
まず、浴室１１の構成について説明する。
【００３８】
図２に示すように、人が浴室１１に出入りするための浴室出入口６６には浴室ドア６７が設けられており、浴室ドア６７にはその施解錠を行う浴室施錠装置６８が設けられている。浴室１１においては、浴室ドア６７が閉鎖された場合、人は例えば浴室１１に隣接した脱衣室（図示略）から浴室１１内に入ることができない。また、この場合、浴室ドア６７に通気用ガラリ等の通気口が設けられていなければ又は設けられていても通気口が閉鎖されていれば、浴室空間２１は、空気が脱衣室等のその他の屋内空間に拡散しない非拡散状態となる。したがって、浴室施錠装置６８により浴室ドア６７が施錠されることで、浴室１１が非拡散状態で保持される。換言すれば、浴室１１は浴室出入口６６側における密閉度が高い状態で保持される。なお、この場合、浴室１１において屋外に通じる窓等が閉められていれば、浴室１１全体が高気密状態で保持される。
【００３９】
浴室１１には、浴室空間２１にオゾンガスを供給する吹出グリル５８に加えて、その天井に浴室換気扇７１が設けられており、浴室換気扇７１には、屋外に通じる排気用ダクト７２が接続されている。浴室換気扇７１は、駆動されることで浴室１１内の空気を屋外に排出する。
【００４０】
浴室１１において、浴室オゾン水放出装置６３は、広範囲にオゾン水を放出する広域用放水部７５と、局所的にオゾン水を放出する局部用放水部７６ａ，７６ｂ，７６ｃとを有している。広域用放水部７５は、天井に取り付けられており、下方に向かってオゾン水を噴霧する。一方、局部用放水部７６ａ〜７６ｃは、それぞれ側面に放水孔が設けられた給水管となっており、鏡パネル７７等の背面において浴室壁面との間の隙間に沿って延びるように配置されている隙間放出部７６ａと、浴室カウンタ７８や浴室壁面のコーナや隅角部に沿って延びるように配置されているコーナ放出部７６ｂと、浴槽３１の外周面における凹凸部等に沿って延びるように配置されている浴槽放出部７６ｃとを有している。この場合、局部用放水部７６ａ〜７６ｃの放水孔から放出されるオゾン水は、浴室１１内において汚れやカビの発生しやすい箇所に散布されることになる。なお、隙間放出部７６ａは鏡パネル７７等の背面側に配置されているが、図示の便宜上、その隙間放出部７６ａを実線で図示している。
【００４１】
次に、トイレ１３の構成について説明する。
【００４２】
図３（ａ）に示すように、人がトイレ１３に出入りするためのトイレ出入口８１にはトイレドア８２が設けられており、トイレドア８２にはその施解錠を行うトイレ施錠装置８３が設けられている。トイレ１３においては、トイレドア８２が閉鎖されると、人は例えばトイレ１３に隣接した廊下（図示略）からトイレ１３内に入ることができない。
【００４３】
トイレドア８２には、トイレ空間２３用の通気部としてのアンダーカット８４と、アンダーカット８４を閉鎖するアンダーカット閉鎖部８５とが設けられている。アンダーカット８４は略長方形状の開口部となっており、アンダーカット閉鎖部８５は、アンダーカット８４よりも大きな略長方形の板部となっている。図３（ｂ）に示すように、アンダーカット閉鎖部８５は、アンダーカット８４の上方にてトイレドア８２の内側に収容されている。アンダーカット閉鎖部８５は、上下方向にスライド移動可能となっており、下方へ移動することでアンダーカット８４を閉鎖する。また、トイレドア８２には、駆動することでアンダーカット閉鎖部８５をスライド移動させるアンダーカット用駆動部８６が設けられており、アンダーカット閉鎖部８５及びアンダーカット用駆動部８６により閉鎖装置が構成されている。
【００４４】
トイレ１３において、トイレドア８２が閉鎖され、それに加えてアンダーカット８４が閉鎖された場合、トイレ空間２３の空気が廊下等のその他の屋内空間に拡散しない非拡散状態となる。したがって、トイレ施錠装置８３によりトイレドア８２が施錠されることで、トイレ１３が非拡散状態で保持される。換言すれば、トイレ１３はトイレ出入口８１側における密閉度が高い状態で保持される。なお、この場合、トイレ１３において屋外に通じる窓等が閉められていれば、トイレ１３全体が高気密状態で保持される。また、トイレドア８２には、アンダーカット８４に加えて又は代えて通気用ガラリが設けられていてもよい。この場合、通気用ガラリを閉鎖するガラリ閉鎖部が設けられていることが好ましい。
【００４５】
トイレ１３には、その床にトイレ換気扇９１が設けられており、トイレ換気扇９１には、屋外に通じる排気用ダクト９２が接続されている。トイレ換気扇９１は、駆動されることでトイレ１３内の空気を屋外に排出する。この場合、トイレ換気扇９１は、トイレ空間２３の下部の空気を排出しやすくなっており、排泄物等により便器３８等から臭気が発生してもその臭気を効果的に排出する。
【００４６】
ここで、オゾン供給システムの電気的な構成について説明する。
【００４７】
図１に示すように、オゾン供給システムはコントローラ９５により制御され、コントローラ９５にはオゾン生成装置５１が接続されている。コントローラ９５は、例えば居室等に設置され、ＣＰＵや各種メモリ等からなるマイクロコンピュータを有しており、指令信号を出力することでオゾン生成装置５１の動作制御を行う。すなわち、オゾンガス生成部５２によるオゾンガス生成の制御を行ったり、オゾン水生成部５３によるオゾン水生成の制御を行ったりする。コントローラ９５は、例えば居室等に設置されている。
【００４８】
コントローラ９５には、オゾンガス供給手段として、グリル用駆動部５９が複数接続されており、コントローラ９５は、指令信号を出力することで各グリル用駆動部５９の開閉制御を個別に行う。すなわち、サニタリ空間２１〜２４を対象としてオゾンガス供給制御を個別に行う。
【００４９】
コントローラ９５には、オゾン水供給手段として、キッチン用給水装置３６、トイレ用給水装置３９、洗面室用給水装置４２及び浴室オゾン水放出装置６３に接続されており、コントローラ９５は、指令信号を出力することでこれら装置３６，３９，４２，６３のオゾン水放出制御を個別に行う。すなわち、浴室１１、キッチン１２の流し台３５、トイレ１３の便器３８、及び洗面室１４の洗面台４１を対象としてオゾン水供給制御を個別に行う。
【００５０】
また、コントローラ９５には、浴室設備として、浴室施錠装置６８及び浴室換気扇７１が接続されており、コントローラ９５は、指令信号を出力することで浴室施錠装置６８及び浴室換気扇７１の動作制御を行う。すなわち、コントローラ９５は、規制手段として浴室施錠装置６８の施錠制御を行う。さらに、トイレ設備として、トイレ施錠装置８３、アンダーカット用駆動部８６及びトイレ換気扇９１が接続されており、コントローラ９５は、指令信号を出力することでトイレ施錠装置８３、アンダーカット用駆動部８６及びトイレ換気扇９１の駆動制御を行う。すなわち、コントローラ９５は、規制手段としてトイレ施錠装置８３の施錠制御を行うとともにアンダーカット８４の閉鎖制御を行う。
【００５１】
コントローラ９５には、室内に人が居ることを検出する人感センサ９７と、室内空間における空気中のオゾン濃度を検出するオゾンガスセンサ９８とが接続されており、これら人感センサ９７及びオゾンガスセンサ９８から検出信号がそれぞれ入力される。人感センサ９７及びオゾンガスセンサ９８は、サニタリ１１〜１４のそれぞれに設けられている。特に、オゾンガスセンサ９８は、サニタリ１１〜１４において壁や天井にそれぞれ複数設置されている。これにより、それらサニタリ１１〜１４においては複数箇所でオゾン濃度が検出される。
【００５２】
続いて、コントローラ９５により実行されるオゾン供給制御処理について、図４，図５のフローチャートを参照しつつ説明する。図４は、高濃度オゾン水及びオゾンガス供給制御処理を示すフローチャートであり、図５は、低濃度オゾン水供給制御処理を示すフローチャートである。
【００５３】
まず、高濃度オゾン水及びオゾンガス供給制御処理について説明する。ここでは、トイレ１３をオゾン供給対象としている。
【００５４】
図４において、ステップＳ１０１では、トイレ１３の各人感センサ９７から入力される検出信号に基づいて、トイレ１３に人が居るか居ないかを判定する。トイレ１３に人が居る場合、そのまま本処理を終了し、トイレ１３に人が居ない場合、ステップＳ１０２〜Ｓ１０４のオゾン供給処理に進む。なお、ここでは、オゾン供給処理を、住人等によりトイレ１３が使用されるたびにその使用後に行う。
【００５５】
オゾン供給処理として、ステップＳ１０２では、トイレ１３の施錠処理を行う。具体的には、トイレ施錠装置８３によりトイレドア８２の施錠を行う。これにより、トイレ１３内への人の立ち入りが抑制される。また、施錠処理に加えて、通気部の閉鎖処理を行う。具体的には、アンダーカット用駆動部８６を駆動させることでアンダーカット閉鎖部８５によりアンダーカット８４を閉鎖させる。
【００５６】
ステップＳ１０３では、高濃度オゾン水供給処理を行う。具体的には、トイレ用給水装置３９から高濃度オゾン水を放出させ、便器３８に高濃度オゾン水を供給することで、便器３８の浄化を行う。ステップＳ１０４では、オゾンガス供給処理を行う。具体的には、トイレ１３の吹出グリル５８から高濃度オゾンガスを吹き出させ、トイレ空間２３に高濃度オゾンガスを供給することで、トイレ空間２３を対象として消臭等の空気清浄を行う。空気清浄は、高濃度オゾン水から発生するオゾンガスによっても行われる。ここで、トイレドア８２においてアンダーカット８４が閉鎖されているため、トイレ１３内にオゾンガスが充満していてもそのオゾンガスがアンダーカット８４からその他の空間に漏れ出すことがない。なお、オゾン供給としては、高濃度オゾン水ではなく低濃度オゾン水を供給してもよく、高濃度オゾンガスではなく低濃度オゾンガスを供給してもよい。
【００５７】
また、消臭を目的として、トイレ使用に伴ってトイレ換気扇９１の駆動を開始させ、オゾン供給処理の実行より前に停止させてもよい。つまり、トイレ使用に伴って臭気排出処理を行ってもよい。この場合、オゾンガス供給処理だけが行われる場合に比べて消臭効果を高めることができる。さらに、トイレ１３には、臭気を検出する臭気検出センサが設置されていれば、臭気検出センサにより臭気が検出された時にトイレ換気扇９１を駆動させてもよい。この場合、トイレ換気扇９１の運転に関して省エネ効果を得ることができる。
【００５８】
ステップＳ１０５では、オゾン供給処理を行っている最中にトイレ１３に人が入室しようとしているか否かを判定する。例えばトイレドア８２にはタッチセンサが設けられており、人がトイレドア８２のドアノブに触った場合にタッチセンサから検出信号が入力される。ここでは、人がドアノブに触ればトイレ１３への入室意思を持っていると推定し、ドアノブに触らなければトイレ１３に入ろうとはしていないと推定する。トイレ１３に人が入室しようとしていない場合、ステップＳ１０６に進み、オゾン供給用のタイマをセットする。この場合、トイレ１３へのオゾン供給を継続し、所定時間経過後にオゾン供給を停止させる。ここでは、タイマを高濃度オゾン水やオゾンガスによる殺菌消臭に必要な時間（例えば３分）に設定する。
【００５９】
ステップＳ１０７では、オゾン供給停止後、トイレ空間２３における空気中オゾン濃度が所定濃度（例えば、低濃度オゾンガスと同等の濃度）より小さいか否かを判定する。この場合、空気中オゾン濃度は、トイレ１３のオゾンガスセンサ９８から入力される検出信号に基づいて取得する。なお、オゾンは不安定な物質であるため、オゾン供給を停止するだけで空気中オゾン濃度は低下していく。
【００６０】
空気中オゾン濃度が所定濃度より小さくなった場合、ステップＳ１０８に進み、トイレ施錠装置８３を動作させることでトイレドア８２を解錠させる。一方、空気中オゾン濃度が所定濃度より小さくなっていない場合、トイレドア８２の施錠を継続させるためにそのまま本処理を終了する。つまり、トイレ空間２３においてオゾンガスに関する安全性に問題がある限りは、トイレ１３への入室を規制する。
【００６１】
なお、トイレ１３の外側において、トイレ出入口８１の周辺には表示ランプや表示装置、スピーカ等がそれぞれ設けられている。そして、トイレ空間２３においてオゾンガスに関する安全性に問題がなくなった場合、その旨を表示ランプ等により報知させる。また、トイレ１３を対象としてオゾン供給処理を行っている場合に、その旨を表示ランプ等により報知させてもよい。
【００６２】
また、オゾン供給処理を行っている最中にトイレ１３に人が入室しようとした場合（ステップＳ１０５がＹＥＳ判定の場合）、ステップＳ１０９に進み、空気中オゾン濃度を低下させるべく、トイレ１３へのオゾン供給を直ちに停止させる。なお、トイレ１３に供給されるオゾンガスを高濃度から低濃度に切り替えてもよい。続いて、ステップＳ１１０では、オゾン除去処理を行う。具体的には、トイレ換気扇９１を動作させることでトイレ空間２３の強制換気を行い、オゾンガスを排出して空気中オゾン濃度を積極的に低下させる。この場合、トイレ空間２３において、空気中のオゾン減少をただ待つ場合に比べて短時間で安全性が確保される。空気中オゾン濃度が所定濃度より小さくなった場合（ステップＳ１０７がＹＥＳ判定の場合）、トイレドア８２を解錠させる（ステップＳ１０８の処理）。これにより、人がトイレ１３に入ろうとしている場合にその要望に合わせていち早くトイレ１３を入室可能な状態に移行させることができる。
【００６３】
ちなみに、オゾンは圧力や温度が高いほど酸化反応が促進される。つまりオゾンが消滅しやすくなる。したがって、オゾン除去処理として、室内圧力調整装置等によりトイレ１３内の圧力を高くしたり、エアコン等によりトイレ１３の室温を上昇させたりしてもよい。
【００６４】
上記のような高濃度オゾン水及びオゾンガス供給制御処理は、トイレ１３をオゾン供給対象としなくても同様に行われる。例えば、浴室１１をオゾン供給対象とした場合、オゾン供給処理を、住人等が浴室１１で入浴するたびにその入浴後に行う。この場合、オゾン供給処理として、浴室施錠装置６８により浴室ドア６７の施錠を行い、高濃度オゾン水供給処理及びオゾンガス供給処理を行う。特に、浴室１１においては、高濃度オゾン水供給処理により浴室内全体の浄化が行われる。
【００６５】
そして、オゾン供給処理を行っている最中に浴室１１に人が入室しようとした場合、オゾン供給を停止させるとともに、浴室換気扇７１により強制換気を行う。これにより、浴室１１における空気中オゾン濃度を積極的に低下させる。その後、浴室空間２１において安全性に問題がなくなった場合に浴室ドア６７の解錠を行う。
【００６６】
また、キッチン１２や洗面室１４をオゾン供給対象とした場合でも、高濃度オゾン水供給処理やオゾンガス供給処理が同様に行われる。例えば、キッチン１２や洗面室１４に高濃度オゾンガスを供給することでキッチン空間２２や洗面室空間２４の空気洗浄を行う。また、キッチン用給水装置３６から流し台３５に高濃度オゾン水を供給することで流し台３５の浄化を行い、洗面室用給水装置４２から洗面台４１に高濃度オゾン水を供給することで洗面台４１の浄化を行う。
【００６７】
次に、低濃度オゾン水供給制御処理について説明する。ここでは、洗面室１４の洗面台４１をオゾン供給対象としている。
【００６８】
図５において、ステップＳ２０１では、洗面室１４において洗面台４１が使用されるか否かを判定する。例えば、洗面室１４の人感センサ９７から入力される検出信号に基づいて、人の手が洗面台４１の蛇口に近づいたか否かを判定する。人が手を蛇口に近づければ洗面台４１の使用意思を持っていると推定し、蛇口に近づけなければ使用意思がないと推定する。
【００６９】
ステップＳ２０２では、洗面台４１に低濃度オゾン水を供給するか否かを判定する。例えば、洗面台４１の使用者が大人であるか否かを判定する。ここで、洗面室１４の人感センサ９７は、人を検出対象として静脈やシルエットを検出する構成となっており、それら静脈やシルエットに基づいて検出対象者が大人であるか否かを判定する。低濃度オゾン水を供給しない場合、ステップＳ２０３に進み、水道水供給処理を行う。つまり、洗面台４１の使用者が子供である場合、洗面室用給水装置４２から洗面台４１に水道水を供給させる。これにより、子供が誤って低濃度オゾン水を飲んでしまうといった不都合を回避できる。
【００７０】
一方、低濃度オゾン水を供給する場合、ステップＳ２０４に進み、低濃度オゾン水供給処理を行う。つまり、洗面台４１の使用者が大人である場合、オゾン生成装置５１において低濃度オゾン水を生成し、洗面室用給水装置４２から洗面台４１に低濃度オゾン水を供給させる。これにより、大人は低濃度オゾン水で手や顔を洗うことができる。なお、洗面台４１の使用者が子供であっても、保護者として大人が居れば低濃度オゾン水供給処理を行ってもよい。
【００７１】
ステップＳ２０５では、洗面室１４のオゾンガスセンサ９８から入力される検出信号に基づいて、洗面室１４における空気中のオゾン濃度を取得する。ステップＳ２０６では、空気中オゾン濃度が所定濃度（例えば、低濃度オゾンガスと同等の濃度）より小さいか否かを判定する。空気中オゾン濃度が所定濃度より小さい場合、安全性に問題がないとして洗面台４１への低濃度オゾン水の供給を継続するべくそのまま本処理を終了する。低濃度オゾン水からは低濃度オゾンガスよりも濃度の高いオゾンガスは発生しないと考えられるが、空気中オゾン濃度が所定濃度以上である場合、安全性に問題があるとしてステップＳ２０７に進む。
【００７２】
ステップＳ２０７では、空気中オゾン濃度低下処理を行う。具体的には、洗面台４１への低濃度オゾン水の供給を停止させ、低濃度オゾン水に代わって水道水を洗面台４１に供給させる。これにより、空気中オゾン濃度低下を図ることができる。なお、洗面室１４に換気扇が設けられていれば、換気扇を駆動させてもよい。この場合、空気中オゾン濃度を積極的に低下させることができる。
【００７３】
以上詳述した本実施形態によれば、以下の優れた効果が得られる。
【００７４】
オゾン生成装置５１により生成されたオゾンガスやオゾン水が浴室１１やキッチン１２、トイレ１３、洗面室１４に供給される。これらサニタリ１１〜１４は、水まわりの設備（便器３８や流し台３５等）を有するため、建物１０内において臭いや細菌の発生元となる可能性が高い。したがって、サニタリ１１〜１４を対象としてオゾン洗浄が行われることは効果的である。また、オゾン供給対象とされたサニタリ１１〜１４には、人が居ない場合に高濃度オゾンガスや高濃度オゾン水が供給されるため、サニタリ１１〜１４の浄化を行いつつ、オゾンが身体に接触したり体内に取り込まれたりすることを抑制できる。以上の結果、人体への悪影響を抑制しつつオゾンによる浄化能力を好適に発揮させることができる。
【００７５】
浴室空間２１やトイレ空間２３は壁やドア等により囲まれているため、浴室１１やトイレ１３内がオゾンにより浄化されている場合に、オゾンガスがその他の屋内空間に拡散することが抑制されている。また、この場合、浴室ドア６７やトイレドア８２が施錠されているため、人はそれらドア６７，８２を解錠しない限りは浴室１１やトイレ１３内に立ち入ることができない。したがって、浴室１１やトイレ１３内でオゾン洗浄が行われていることを知らない人についても、不意に高濃度オゾンガスや高濃度オゾン水が身体に接触したり体内に取り込まれたりすることを抑制できる。つまり、その人はオゾンにより害を被ることがない。
【００７６】
トイレ１３を対象としてオゾン供給が行われる場合、トイレドア８２のアンダーカット８４が閉鎖される。この場合、オゾン供給によりトイレ空間２３に存在するオゾンガスがアンダーカット８４を通じてその他の空間に漏れ出すことを抑制できる。したがって、人がトイレ１３内に立ち入らなければ、たとえトイレ出入口８１に近づいたとしても高濃度オゾンガスが身体に接触したり体内に取り込まれたりすることを回避できる。また、トイレ１３には臭気が発生しやすいため、オゾンの消臭効果を好適に発揮させることができる。さらに、浴室１１やトイレ１３を対象としたオゾン供給は、入浴後やトイレ使用後にその都度行われるため、浴室１１やトイレ１３を常にきれいに快適な状態で維持することができる。
【００７７】
オゾンによる浴室１１やトイレ１３内の浄化が完了した後、空気中オゾン濃度が所定濃度より小さくなると浴室ドア６７やトイレドア８２が解錠される。つまり、浴室空間２１やトイレ空間２３における安全性が確保されれば、人は浴室１１やトイレ１３に対して自由に出入りすることができる。
【００７８】
オゾン洗浄の途中で浴室１１やトイレ１３に人が入ろうとした場合、オゾン供給が停止されるとともに、浴室換気扇７１やトイレ換気扇９１が駆動することでオゾン除去処理が行われる。この場合、空気中オゾン濃度が強制的に低下されるため、浴室空間２１やトイレ空間２３での安全性が確保されるまで要する時間を極力短くすることができる。したがって、浴室１１やトイレ１３の使い勝手が悪化することを抑制しつつ、オゾン洗浄を好適に行うことができる。
【００７９】
洗面室１４において低濃度オゾン水が洗面台４１に供給されるため、人は低濃度オゾン水により手を洗うことができる。この場合、通常の手の洗い方でオゾンによる殺菌効果を好適に得ることができる。
【００８０】
（他の実施形態）
本発明は上記実施形態の記載内容に限定されず、例えば次のように実施されてもよい。
【００８１】
（１）上記実施形態では、オゾンガスがサニタリ１１〜１４に供給される構成としたが、オゾンガスがその他の屋内空間に供給される構成としてもよい。例えば、オゾン生成装置５１からオゾンガスを供給する供給用ダクト５６が居室空間や廊下空間等に通じており、オゾンガスが複数の屋内空間に供給される構成とする。この場合、オゾンガスが各屋内空間に一括で供給されれば、建物内空間の全体にオゾンガスを供給することが可能となる。ここで、建物１０においては、上記サニタリ１１〜１４の他にも居室や廊下が設けられているため、サニタリ１１〜１４を個別にオゾン洗浄しても、他の空間から殺菌や臭気が広がるおそれがある。そこで、建物内空間の全体にオゾンガスが供給される構成であれば、建物１０を全体的にオゾン洗浄することができるため効果的である。
【００８２】
この場合、人感センサ９７は、サニタリ１１〜１４に加えてその他の屋内空間に居る人を検出する位置に設置されている。コントローラ９５は、その検出信号に基づいて建物１０内に人が居ないことを取得し、人が留守である場合に建物内空間の全体に高濃度オゾンガスを供給させる。なお、コントローラ９５は、セットされたタイマに基づいてオゾン供給制御を行ってもよく、人が所持している無線通信装置から送信された信号に基づいてオゾン供給制御を行ってもよい。
【００８３】
（２）浴室１１やトイレ１３の外側における浴室ドア６７やトイレドア８２の周辺には、浴室空間２１やトイレ空間２３から外にオゾンガスが漏れ出したことを検出するオゾンガス検出部が設けられていてもよい。例えば、オゾンガス検出部によりオゾンガス漏れが検出された場合、フェイルセーフ処理として、浴室１１やトイレ１３へのオゾンガス供給が停止されるとともに、浴室換気扇７１やトイレ換気扇９１により換気が行われる構成とする。これにより、仮にオゾン洗浄時にオゾンガスが浴室１１やトイレ１３から漏れ出しても、その他の屋内空間における安全性低下を抑制できる。
【００８４】
（３）浴室１１やトイレ１３の外側に、浴室空間２１やトイレ空間２３における空気中オゾン濃度が所定濃度より大きいことを報知する報知手段が設けられていてもよい。報知手段は、例えば表示装置やスピーカ等である。この例では、規制手段としてコントローラ９５が報知手段の報知制御を行う構成とする。これにより、例えばオゾン供給処理中に浴室１１やトイレ１３に人が立ち入ることを規制でき、ひいては、オゾンが身体に接触したり体内に取り込まれたりすることを抑制できる。
【００８５】
（４）上記実施形態では、浴室１１やトイレ１３において人の存在が検出される構成としたが、ペット（愛玩動物）の存在が検出される構成としてもよい。これにより、浴室１１やトイレ１３にペットが居るにもかかわらずオゾンガスやオゾン水が供給されるといった不都合を回避できる。
【００８６】
（５）上記実施形態では、浴室ドア６７やトイレドア８２に浴室施錠装置６８やトイレ施錠装置８３が設けられているが、これら施錠装置６８，８３は設けられていなくてもよい。この場合でも、浴室ドア６７やトイレドア８２により浴室出入口６６やトイレ出入口８１が閉鎖されていれば、オゾンの身体への接触や体内への取り込みが規制される。要は、浴室１１やトイレ１３への人の立ち入りや、オゾンガスやオゾン水の拡散が規制されていれば、オゾンが身体に悪影響を及ぼすことを抑制できる。
【００８７】
（６）上記実施形態では、オゾン水の濃度がオゾン生成装置５１により調整される構成としたが、それら濃度がキッチン用給水装置３６やトイレ用給水装置３９、洗面室用給水装置４２により調整される構成としてもよい。この場合、給水装置によりオゾン水と水道水とが混合され、その混合比率が調整される構成とすれば、オゾン水の濃度を調整することができる。
【００８８】
（７）上記実施形態では、通気部がアンダーカット８４として浴室ドア６７やトイレドア８２に設けられているが、通気部は浴室壁やトイレ壁に設けられていてもよい。この場合、通気部が、浴室１１やトイレ１３に隣接する廊下等の建物内空間に通じており且つ閉鎖装置により閉鎖される構成であれば、オゾンガスが浴室空間２１やトイレ空間２３から建物内空間に通気部を通じて漏れ出すことを抑制できる。
【００８９】
（８）上記実施形態では、オゾン供給対象が浴室１１やトイレ１３といった部屋に設定されているが、オゾン供給対象は、オゾン供給が可能な内部空間を有するカプセル等であってもよい。この場合、カプセル内において空気洗浄を行うことができるとともに、カプセル内の物品等を対象としてオゾン浄化を行うことができる。
【図面の簡単な説明】
【００９０】
【図１】本実施形態における建物の概略断面を示す図。
【図２】浴室の概略断面を示す図。
【図３】トイレの概略断面を示す図。
【図４】コントローラにより実行される高濃度オゾン水及びオゾンガス供給制御処理を示すフローチャート。
【図５】低濃度オゾン水供給制御処理を示すフローチャート。
【符号の説明】
【００９１】
１０…建物、１３…トイレ、２３…トイレ空間、３６…オゾン供給装置としてのキッチン用給水装置、３９…オゾン供給装置としてのトイレ用給水装置、４２…オゾン供給装置としての洗面室用給水装置、５１…オゾン生成装置、５６…オゾン供給装置を構成する供給用ダクト、５８…オゾン供給装置を構成する吹出グリル、５９…オゾン供給装置としてのグリル用駆動部、６８…規制手段としての浴室施錠装置、７１…換気装置としての浴室換気扇、８３…規制手段としてのトイレ施錠装置、８５…閉鎖装置を構成するアンダーカット閉鎖部、８６…閉鎖装置を構成するアンダーカット用駆動部、９０…換気装置としてのトイレ換気扇。
【図１】
2009261503.tif 000003
【図２】
2009261503.tif 000004
【図３】
2009261503.tif 000005
【図４】
2009261503.tif 000006
【図５】
2009261503.tif 000007